(57)【要約】【課題】ねじ等が予め設けられていない杖やストック等に対しても、良好にカメラなどを固定することができる使い勝手のよい固定アタッチメントを提供する。【解決手段】ベルト１４，１６をバックル１４Ｃ，１６Ｃから緩めるか、もしくは開放する。そして、当て板１２のＵ字溝１２Ａに杖４０のグリップ４２を当て、ベルト１４，１６を締め、固定アタッチメント１０をグリップ４２に取り付ける。次に、カメラ３０の底部に設けられている雌ねじ３２に、固定台２０の雌ねじ２２Ａを介して雄ねじ２４をねじ込む。このとき、当て板１２に開口１２Ｂ，１２Ｃが設けられているので、雄ねじ２４の操作を容易に行うことができる。縦位置にカメラ３０を取り付けるときは、雄ねじ２４を、当て板１２の側面側の雌ねじ２２Ｂを介してカメラ３０の雌ねじ３２にねじ込む。【選択図】図１
2007256542.tif 000002
【特許請求の範囲】
【請求項１】
棒状体に対象物を固定するための固定アタッチメントであって、
前記棒状体が当たる溝を有する当て板，
この当て板に前記棒状体を固定するための締付手段，
前記当て板の端部に形成されており、前記対象物を固定するための固定台，
この固定台及び前記当て板を通じて前記対象物を固定する固定手段，
を設けたことを特徴とする固定アタッチメント。
【請求項２】
前記棒状体は、例えば、杖，スキーのストック，登山のピッケル，背負子の突出部のいずれかであり、前記対象物は、例えば、カメラ，望遠鏡，双眼鏡のいずれかであることを特徴とする請求項１記載の固定アタッチメント。
【発明の詳細な説明】
【技術分野】
【０００１】
本発明は、カメラや望遠鏡などを固定するアタッチメントに関し、更に具体的には、歩行時に使用するステッキ，スキーで使用するストック，登山で使用するピッケル・背負子などを利用する固定アタッチメントに関する。
【背景技術】
【０００２】
例えば、杖やストックなどを利用してカメラを固定する背景技術としては、下記特許文献１に開示された「カメラ固定用ねじ付杖」がある。これによれば、歩行補助用杖の上部の取手部に雌ねじ孔が設けられる。そして、この雌ねじ孔に、雄ねじを介してカメラ側の雌ねじ側をねじ止めすることで、杖にカメラを固定する。
【特許文献１】実開平６−１５６７６号公報
【発明の開示】
【発明が解決しようとする課題】
【０００３】
しかしながら、上述した背景技術では、杖側に予め雌ねじを設けておく必要がある。本発明は、以上の点に着目したもので、ねじ等が予め設けられていない杖やストック等に対しても、良好にカメラなどを固定することができる使い勝手のよい固定アタッチメントを提供することを、その目的とする。
【課題を解決するための手段】
【０００４】
前記目的を達成するため、本発明は、棒状体に対象物を固定するための固定アタッチメントであって、前記棒状体が当たる溝を有する当て板，この当て板に前記棒状体を固定するための締付手段，前記当て板の端部に形成されており、前記対象物を固定するための固定台，この固定台及び前記当て板を通じて前記対象物を固定する固定手段，を設けたことを特徴とする。主要な形態の一つによれば、前記棒状体は、例えば、杖，スキーのストック，登山のピッケル，背負子の突出部のいずれかであり、前記対象物は、例えば、カメラ，望遠鏡，双眼鏡のいずれかであることを特徴とする。本発明の前記及び他の目的，特徴，利点は、以下の詳細な説明及び添付図面から明瞭になろう。
【発明の効果】
【０００５】
本発明によれば、ベルト締付具によって杖などの棒状体に当て板を締め付けるとともに、固定台もしくは当て板にねじ手段でカメラなどの対象物を固定することとしたので、どのような杖などに対しても適用でき、使い勝手がよい。
【発明を実施するための最良の形態】
【０００６】
以下、本発明を実施するための最良の形態を、実施例に基づいて詳細に説明する。
【実施例１】
【０００７】
図１(A)には、実施例１の構成が示されている。同図において、固定アタッチメント１０は、長手方向に垂直の断面が略Ｕ字状の当て板１２を中心に構成されている。当て板１２には、長手方向に間隔をおいて、２つのベルトないしテープ１４，１６が取り付けられている。ベルト１４は、当て板１２に設けた平行スリット１４Ａ，１４Ｂを通っており、ベルト１６は、当て板１２に設けた平行スリット１６Ａ，１６Ｂを通っている。ベルト１４，１６の一端には、バックル１４Ｃ，１６Ｃがそれぞれ取り付けられている。
【０００８】
当て板１２の頂部には、その長手垂直方向に固定台２０が設けられている。すなわち、当て板１２によって形成されたＵ字溝１２Ａを塞ぐように、固定台２０が形成されている。固定台２０には、中央付近に雌ねじ２２（ナット）Ａが形成されており、この雌ねじ２２Ａには、雄ねじ（ボルト）２４が取り付け可能となっている。一方、当て板１２の背面側であって、前記固定台２０の近傍にも、同様の雌ねじ２２Ｂが設けられている。また、当て板１２の側面側であって、前記雌ねじ２２Ｂの位置とベルト１４の位置との間には、開口１２Ｂ，１２Ｃがそれぞれ形成されている。雌ねじ２２Ａ，２２Ｂは、単なる貫通孔としてもよい。
【０００９】
次に、本実施例の作用を説明する。まず、図１(B)の取り付け例から説明する。最初に、ベルト１４，１６をバックル１４Ｃ，１６Ｃから緩めるか、もしくは開放する。そして、当て板１２のＵ字溝１２Ａに杖４０のグリップ４２を当て、ベルト１４，１６を締める。このようにして、固定アタッチメント１０をグリップ４２に取り付ける。次に、上述した固定台２０にカメラ３０を取り付ける。すなわち、カメラ３０の底部に設けられている雌ねじ３２に、固定台２０の雌ねじ２２Ａを介して雄ねじ２４をねじ込む。このとき、当て板１２に開口１２Ｂ，１２Ｃが設けられているので、雄ねじ２４の操作を容易に行うことができる。真上から見た固定アタッチメント１０とカメラ３０の関係を示すと、図１(C)のようになる。一方、図１(D)の取り付け例の場合は、雄ねじ２４を、当て板１２の側面側の雌ねじ２２Ｂを介してカメラ３０の雌ねじ３２にねじ込む。真上から見た様子を示すと、図１(E)のようになる。
【００１０】
以上のように、本実施例によれば、次のような効果がある。
(1)どのような杖ないしステッキ，スキーのストック，ピッケルなどにも取り付けることができ、予め杖などに雌ねじを取り付ける必要がない。グリップ形状も問わない。
(2)ベルトを緩めたり締めたりすることで、簡単に着脱できる。
(3)カメラは、横位置（図１(B)参照），縦位置（図１(D)参照）のいずれにも固定して撮影することができる。
(4)衣服のポケットなどに入れて持ち運べる程度の軽量でコンパクトなサイズである。
【実施例２】
【００１１】
次に、本発明の実施例２について、図２を参照しながら説明する。まず、同図(A)の例は、杖５０のグリップ５２がＴ字形状となっている場合の例である。上述したように、固定アタッチメント１０の当て板１２には、開口１２Ｂ，１２Ｃが設けられている。この開口１２Ｂ，１２Ｃをグリップ５２が横切るようにすることで、杖５０を当て板１２に取り付けることができる。なお、本例の場合、カメラ３０は、固定アタッチメント１０に横向きもしくは縦向きに予め取り付けておく。
【００１２】
図２(B)の例は、背負子６０の突出部６２に固定アタッチメント１０を介してカメラ３０を固定した例である。本発明は、杖，ストック，ピッケルなどに適用することで、いわゆる一脚として使用することができる。しかし、本例のように、突出する部材があれば、どのようなものにでも固定アタッチメント１０を取り付けてカメラ３０を固定することができる。樹木の枝などにも適用可能である。
【００１３】
なお、本発明は、上述した実施例に限定されるものではなく、本発明の要旨を逸脱しない範囲内において種々変更を加え得る。例えば、以下のものも含まれる。
(1)前記実施例は、本発明をカメラの固定に適用した例であるが、望遠鏡，双眼鏡などにも同様に適用可能である。
(2)前記実施例は一例であり、同様の機能を奏するように各種設計変更してよい。例えば、固定アタッチメントを杖などに固定するベルトとバックルを２組設けたが、３組以上設けてもよいし、幅広とすることで１組のみとしてもよい。また、バックルの構造も各種のものが公知であり、いずれの構造としてもよい。ベルトとバックルの代わりに、磁石やマジックテープ（登録商標）を用いてもよい。
(3)前記実施例では、カメラ等を横位置と縦位置のいずれにも固定できるようにしたが、いずれか一方のみとすることを妨げるものではない。図１(D)の縦位置のみとした場合、固定台を省略することもできる。また、カメラの固定手段として、前記実施例ではねじ手段を用いたが、カメラを固定できれば、どのような手段を用いてもよい。磁石やワンタッチで着脱できる金具とするなどである。
(4)前記実施例では、当て板にＵ字溝を形成したが、Ｖ字溝など他の形状であっても同様の効果を奏することができる。
(5)当て板や固定台を形成する材料としては金属が好適であるが、それに限定されるものではなく、樹脂など公知の各種の材料を使用してよい。バックルについても同様である。
【産業上の利用可能性】
【００１４】
本発明によれば、棒状体に簡単に取り付けることができるので、杖，スキーのストック，登山のピッケルなどに好適である。
【図面の簡単な説明】
【００１５】
【図１】本発明の実施例１を示す図である。(A)は全体構成を示す斜視図，(B)は横方向にカメラを取り付けた例を示す斜視図，(C)は(B)を真上から見た固定アタッチメントとカメラの位置関係を示す平面図，(D)は縦方向にカメラを取り付けた例を示す斜視図，(E)は(D)を真上から見た固定アタッチメントとカメラの位置関係を示す平面図である。
【図２】本発明の実施例２を示す図である。(A)はＴ字型杖に本発明を適用した場合の斜視図，(B)は背負子に本発明を適用した場合の斜視図である。
【符号の説明】
【００１６】
１０：固定アタッチメント
１２：当て板
１２Ａ：Ｕ字溝
１２Ｂ，１２Ｃ：開口
１４，１６：ベルト
１４Ａ，１４Ｂ：平行スリット
１４Ｃ，１６Ｃ：バックル
１６Ａ，１６Ｂ：平行スリット
２０：固定台
２２Ａ：雌ねじ
２２Ｂ：雌ねじ
２４：雄ねじ
３０：カメラ
３２：雌ねじ
４０：杖
４２：グリップ
５０：杖
５２：グリップ
６０：背負子
６２：突出部
【図１】
2007256542.tif 000003
【図２】
2007256542.tif 000004